(57)【要約】 【課題】本発明は、ネクタイ代用アクセサリーとしても使用できる首にかけるアクセサリーであって、シャツの襟元や首元を飾るための首にかけて装着する首掛けアクセサリーの提供を課題とする。【解決手段】２本の紐とアクセサリーからなる首掛けアクセサリーであり、板状のアクセサリーの表裏に貫通した孔であって少なくとも紐を貫通可能な複数乃至多数の孔を有し、２本の紐のそれぞれの一端方向において前記アクセサリーの複数の孔に縫い通し、複数の孔に縫い通すことによってアクセサリーを紐に固定した上で、更に２本の紐同士を他端で係止することにより輪状に構成して首からかける首掛けアクセサリーである。【選択図】    図１
2013078510.tif 000002
【特許請求の範囲】
【請求項１】
２本の紐とアクセサリーからなる首掛けアクセサリーであって、
アクセサリー１０は板状のアクセサリーであり、表裏に貫通した孔１１であって少なくとも紐２を貫通可能な複数乃至多数の孔１１を有するものであり、
２本の紐２のそれぞれの一端方向において前記アクセサリー１０の複数の孔１１に縫い通すものであって、
複数の孔１１に縫い通すことによってアクセサリー１０を紐２に固定し、更に２本の紐２同士を他端で係止することにより輪状に構成して首からかけるものであることを特徴とする首掛けアクセサリー。
【請求項２】
２本の紐２がバネ付勢により紐を固定する弾圧係止具３によって係止されていることを特徴とする請求項１記載の首掛けアクセサリー。
【請求項３】
２本の紐２を結んで係止して輪状を構成することを特徴とする請求項１記載の首掛けアクセサリー。
【請求項４】
アクセサリー１０が長方形状の板状からなることを特徴とする請求項１乃至３のいずれかに記載の首掛けアクセサリー。
【請求項５】
アクセサリー１０が星形形状の板状からなることを特徴とする請求項１乃至３のいずれかに記載の首掛けアクセサリー。
【請求項６】
アクセサリー１０がハート形形状の板状からなることを特徴とする請求項１乃至３のいずれかに記載の首掛けアクセサリー。
【請求項７】
アクセサリー１０が４つ葉のクローバの葉形状の板状からなることを特徴とする請求項１乃至３のいずれかに記載の首掛けアクセサリー。
【請求項８】
アクセサリー１０にグラスホルダーリング４を有することを特徴とする請求項１乃至７のいずれかに記載の首掛けアクセサリー。
【発明の詳細な説明】
【技術分野】
【０００１】
本発明は、ネクタイ代用アクセサリーとしても使用できる首にかけるアクセサリーに関し、シャツの襟元や首元を飾るため、首にかけて装着する首掛けアクセサリーに関する。
【背景技術】
【０００２】
現在シャツを着ている場合における胸元のアクセサリーは多種存在する。
最も多用されているのがネクタイであり、カジュアルに着こなす場合には例えばループタイ等が用いられているものである。
このループタイはネクタイの代用として用いられており、紐をループ状に構成し、その両端部分から装着して紐を挿通可能なアクセサリーに通して用いるものである。
【０００３】
この挿通可能なアクセサリーは、紐の両端部分を引きアクセサリーの挿通部をずらすことによって輪状部分の長さの調整ができるものとなり、任意位置にアクセサリーを変更維持できるものである。
しかし、これはネクタイの代用として用いられるものであり、紐の両端を引くことによって初めて位置規制を可能とするものとなる。
【０００４】
例えば特開平９−２５００１４（特許文献１）、特開平１０−１１０３１１（特許文献２）、特開２００６−１１２０２１（特許文献３）、登録実用新案３１２１６７９（特許文献４）が存在する。
【先行技術文献】
【特許文献】
【０００５】
【特許文献１】特開平９−２５００１４
【特許文献１】特開平１０−１１０３１１
【特許文献１】特開２００６−１１２０２１
【特許文献１】登録実用新案第３１２１６７９
【発明の概要】
【発明が解決しようとする課題】
【０００６】
以上の様に、ループタイは各種存在するが、これらは金属製アクセサリーを用い、ループ状の紐を伸ばしまたは縮めて用いるものであり、装飾の範囲としてはある程度限定されているものである。
更に、例えば携帯電話等を首から吊るす紐等を用いて、首にぶら下げて紛失を防止するものもあるが、ループタイとこの携帯電話用の紐とを一緒にかけるとどうしても首回りに幾重もの紐をぶら下げる必要が出てしまう。
【０００７】
また一般的には身分証明としての名札を首回りに紐でかける場合も多く、この場合も名札の付いた名札を吊るした紐を首にかけて用いる場合が多い。
更にはメガネなどを吊るすため首にかけるグラスホルダーも使用されており、首回りに多数の紐状物をかけることが必要となる。
特に現在首にかける仕様をもっているものが多く、これらを複数用いると極めて首回りがまとまりなく外観上も見栄えが良くなくなるばかりでなく使い勝手もよくないものである。
【０００８】
従って、もっと簡単にかつ見栄えもよく吊るせる何らかのものが要望される。
特にループタイはループの伸縮をしてネクタイと同様に首回りにかけるものであることから、そのアクセサリーは紐を挿通可能なアクセサリーに限定され、デザインの幅がどうしても限定されることからもっと自由なかつ異なるデザインの首掛けアクセサリーの提供が望まれている。
【課題を解決するための手段】
【０００９】
前記課題を解決するためまず、請求項１に係る発明は２本の紐とアクセサリーからなる首掛けアクセサリーであって、アクセサリーは板状のアクセサリーであり、表裏に貫通した孔であって少なくとも紐を貫通可能な複数乃至多数の孔を有するものであり、２本の紐のそれぞれの一端方向において前記アクセサリーの複数の孔に縫い通すものであり、複数の孔に縫い通すことによってアクセサリーを紐に固定し、更に２本の紐同士を他端で係止することにより輪状に構成して首からかける首掛けアクセサリーからなり、係る発明によって解決できる。
【００１０】
又請求項２に係る発明のように２本の紐がバネ付勢により紐を固定する弾圧係止具によって係止されている首掛けアクセサリーでも、請求項３に係る発明のように２本の紐を結んで係止して輪状を構成する首掛けアクセサリーを用いてもよい。
更に、請求項４に係る発明のようにアクセサリーが長方形状の板状からなる首掛けアクセサリーでも、請求項５に係る発明のように星形形状の板状から首掛けアクセサリーを用いてもよい。
【００１１】
或いは、請求項６に係る発明のようにアクセサリーがハート形形状の板状からなるものでも、請求項７に係る発明のように４つ葉のクローバーの葉形状の板状からなる首掛けアクセサリーを用いてもよい。
更に、請求項８に係る発明のようにアクセサリーにグラスホルダーリングを有する首掛けアクセサリーであってもよい。
【発明の効果】
【００１２】
以上のように構成したことからまず請求項１に係る発明によりきわめて斬新で特異な首掛けアクセサリーの提供を可能とするものであり、板状の素材を用いた特殊なアクセサリーを紐に固定することができ、これを該紐によって吊るすことができる。
次に請求項２に係る発明によって２本の紐を弾圧係止具によって任意位置で係止することができ、所望の長さの首に掛ける輪を形成できることとなる。
更に請求項３に係る発明により特段の部材を用いずとも２本の紐によって任意長さの輪を簡単に形成できるものとなる。
【００１３】
又請求項４に係る発明により長方形状の板状からなる首掛けアクセサリーを提供できるものであり、請求項５に係る発明により星形形状の板状からなる首掛けアクセサリーを提供できる。
更に請求項６に係る発明によりハート形形状の板状からなる首掛けアクセサリーを提供でき、更には請求項７に係る発明により４つ葉のクローバーの葉形状の板状からなる首掛けアクセサリーの提供ができる。
従って斬新で美的価値の高い特殊形状のアクセサリーの提供を可能とする。
【００１４】
更には、請求項８に係る発明によりアクセサリーにはグラスホルダーリングを有していることから、各種のものを安全かつ確実に該リングに掛けておくことができる。
特に首に掛けておくことができることから紛失を防止できるばかりでなく、周りからの視認性を有し、かつ手元に確実においておけるものとなる。
【００１５】
従って、メガネなどに限らず携帯電話や名札等極めて多様なものを簡単に首に掛けておけるものである。
更に、多数の首掛け紐を用いずとも本発明を用いればこのリングに各種のものを装着できることから首回りをすっきりとデザイン性を高めて装着できるものとなる。
【図面の簡単な説明】
【００１６】
【図１】本発明に係る首掛けアクセサリーの一例を示す図
【図２】本発明に係る首掛けアクセサリーの他の一例を示す図
【図３】本発明に係る首掛けアクセサリーの他の一例を示す図
【図４】本発明に係る首掛けアクセサリーの他の一例を示す図
【発明を実施するための形態】
【００１７】
図１は、本発明に係る首掛けアクセサリーの一例を示す図であり、シューレース即ちシューズ用の靴紐を用いた首掛けアクセサリーである。
本図の紐２はシューズ用靴紐を用いたものであり、２本の紐をそれぞれ一端がアクセサリー１に繋がっており、他端は弾圧係止具３で係止されている。
まず、アクセサリー１に関しては略長方形状の板状アクセサリー１０に複数の表裏を貫通する孔１１を有しており、この孔１１に紐２が縫い通されている。
【００１８】
即ちそれぞれの紐２は複数の孔１１に挿通して縫い通されているが、裏面から表面に縫い通すとともに、更に表面から裏面に縫い通し、更に裏面から表面、表面から裏面、裏面から表面と縫い通されている。
また孔１１にはハトメ１２を有する。  またこの略長方形状の板状アクセサリー１０にはグラスホルダーリング４を有するものである。
このリングにはメガネをかけることができると共に必要に応じて携帯電話や名札等各種のものを任意に装着できることとなる。
【００１９】
特にオフィスなどにおいて、名札やメガネ或いは携帯電話を吊るすことができ、更にはデザイン性を高められる首掛け式のアクセサリーとして極めて見栄え良くかつ使い勝手の良いものを提供できるものとなる。
紐の他端の弾圧係止具３に関しては、紐２を一定の位置で係止でき、更にこの紐２を緩めることのできる係止具を用いればよいものである。
尚、この弾圧係止具３に変えて弾圧力を用いない他の一般的な係止具を用いても、或いはこれらの係止具を用いずに単にこの２本の紐を結んだものであってもよい。
【００２０】
本図構成においてその詳細は図示していないが、弾圧係止具３に孔を有しており、その孔に紐２が２本とも挿通している。
この挿通している紐２に対してこの弾圧係止具３は、ばねを用いた係止部分を有しており、このばねの付勢によって紐２が係止されているものである。
この様に構成することにより紐２を輪状に構成でき、この輪をもって首に掛けられることとなる。
【００２１】
次に、紐２に関しては前記したようにシューズ用紐即ちシューレースである。
この他織紐や編み紐、皮等を用いた紐であればよい。
次に、略長方形状の板状アクセサリー１０に関しては、孔１１を有する開いた板状のアクセサリーであればよいものであり、本皮製、合皮製、布製、プラスチックス製等のもので構成されているものでよい。
又、孔１１は表裏を貫通する孔からなる。
【００２２】
但し、少なくとも紐２を挿通可能な孔１１であって、複数乃至多数の孔１１を有し、紐２を縫い通すことによって該アクセサリー１０をしっかりと係止して固定できるものであればよい。
又、略長方形状の板状アクセサリー１０の形状は長方形の一例を示すが、少なくとも若干の厚みを有する板状のアクセサリーであればよいものであり、少なくとも厚み０．５ミリ乃至数センチ程度の厚みのあるアクセサリーであればよい。
【００２３】
この形状は長方形に限らず、星型やハート型或いは四つ葉のクローバーをかたどった四つの葉形状からなるアクセサリー１０でもよい。
このようにアクセサリー１０には紐２を表裏に縫い通す孔１１を有しており、必要に応じてハトメ１２を用いるものである。
この場合孔１１の数は複数個必要であり、それぞれの紐２を２回縫い通すための計４つ以上の数の複数乃至多数の孔１１を有するものであればよい。
【００２４】
図２は、アクセサリーとして四つ葉のクローバーの葉の形状をかたどった四つの葉形状からなる板状のアクセサリー１０の一例を示す図である。
この場合孔１１は中央に一つとその中央の孔１１の四方にそれぞれ１つずつの孔計５つの孔１１を有する構成である。
それぞれの紐２は斜め上の孔１１に対して裏から表に縫い通され、更に中央の孔１１で表から裏に縫い通されている。
【００２５】
更に下方の孔１１で裏から表に縫い通したうえ再度中央の孔１１で表から裏に縫い通しているものである。
尚、図１に示す構成とともに本構成においてもアクセサリーの外周部分にはステッチ１３が入っている。
尚、アクセサリーにはグラスホルダーリングを有する。
【００２６】
図３に示す構成はアクセサリーとしてハート型のアクセサリー１０を用いたものであり、この外周にもステッチ１３が入っている。
このようなハート型の板状のアクセサリー１０即ちハート形形状の板状のアクセサリー１０にも計５つの孔１１が設けられており、それぞれの紐２をこの孔１１に裏から表、更に表から裏、裏から表と縫い通したうえ、再度表から裏に縫い通されている。
【００２７】
図４に示す構成は星形形状の板状のアクセサリー１０を用いた一例を示す図であり、孔を計７つ有している。
この孔１１に対してもそれぞれの紐２が裏から表、更に表から裏、裏から表等のようにしてアクセサリー１０に対して孔１１を用いてそれぞれの紐２を縫い通してアクセサー１０を紐２で係止しているものである。
【符号の説明】
【００２８】
１      アクセサリー
１１    孔
１２    ハトメ
１３    ステッチ
２      紐
３    弾圧係止具
４    グラスホルダーリング
【図１】
2013078510.tif 000003
【図２】
2013078510.tif 000004
【図３】
2013078510.tif 000005
【図４】
2013078510.tif 000006